(57)【要約】【課題】  切り粉や切削油の飛散を防止する天井カバーであって、ワークを出し入れする際に作業者を煩わせることのない工作機械の天井カバーを提供する。【解決手段】  左右一対の直線ガイド２を前後方向に平行に固定配置し、この一対の直線ガイド２間に、直線ガイド２にガイドされて前後方向に伸縮移動するカバー体１を設け、カバー体１の先端にカバー体１を伸縮させるシリンダー３を設けた。カバー体１は、一対の直線ガイド２間に渡された複数のガイド棒１３と、隣接するガイド棒１３を連結するヒンジ部を備えたヒンジ枠１２と、ガイド棒１３間の隙間を閉塞する板体７とで形成し、カバー体１を蛇腹状に伸縮させた。カバー体１の後端は、主軸頭５に上下方向に移動可能に取り付けた。【選択図】  図１
2005103686.tif 000002
【特許請求の範囲】
【請求項１】
上下及び前後方向に移動可能な移動体を備えた工作機械に設けられ、前記移動体の下部に形成される加工エリアの上部空間を覆う天井カバーであって、
加工エリア上部の左右に、前後方向へ平行に固定配置された一対の直線ガイドと、
該一対の直線ガイド間に配置され、直線ガイドにガイドされて前後方向に伸縮動して加工エリア上部を閉塞可能なカバー体と、
該カバー体の先端に接続してカバー体を伸縮移動させる伸縮駆動手段とを有し、
前記カバー体の後端は、前記移動体に上下方向へ移動可能に取り付けられて成ることを特徴とする工作機械の天井カバー。
【請求項２】
カバー体は、一対の直線ガイド間に渡された複数のガイド棒と、ヒンジ部を有して隣接するガイド棒同士を連結する折り曲げ可能なヒンジ枠と、該ヒンジ枠に取り付けて前記直線ガイド間を閉塞する閉塞手段とを備え、蛇腹状に収縮動作する請求項１記載の工作機械の天井カバー。
【発明の詳細な説明】
【技術分野】
【０００１】
本発明は、工作機械の切り粉や切削液が上方へ飛散するのを防止するために加工エリア上部に取り付ける天井カバーに関する。
【背景技術】
【０００２】
縦型マシニングセンタ等の工作機械の場合、主軸頭が上下方向に移動するため、切り粉や切削液の上方への飛散を防止するための天井カバーを設置する場合、従来の天井カバーは主軸頭全体を覆うよう形成していた。そのため、主軸頭の移動に支障をきたさないように非常に大きなものとなっていた。
そのため、天井カバーを設けることで工作機械が更に大型化していたし、大型大重量のワークをクレーンなどで吊り下げて工作機械に搬入／搬出する際に、ワークやクレーン、吊り下げ用ワイヤ等と天井カバーとが干渉したり、主軸頭をメンテナンスする場合は、この天井カバーは邪魔になるため、外さなければならならず、余分な作業が必要であり、作業効率が悪かった。
このような問題点から、特許文献１に開示されているように、ワークを出し入れする際や主軸頭をメンテナンスする際に工作機械から取り外す必要のない天井カバーが提案されている。
【０００３】
【特許文献１】実開平６−２４８４７号公報
【発明の開示】
【発明が解決しようとする課題】
【０００４】
しかし、上記特許文献１の構成は、天井カバーが巻き取りシートで形成されているため、主軸頭の前後動に関してはスムーズな伸縮で対応できるが、巻き取った際にシートの裏面と表面が接触するので、シート裏面に付着した切削油等が表面（上面）に付着してしまい、シート上面が汚れやすかった。また、ワークの出し入れをする際、巻き取りシートを取り外す必要はないが、上面を開放するにはシートの収納ケースを取り外して移動させる作業が必要であり、上述するような主軸頭を覆う天井カバーを外すほどの労力は必要でないが、まだ余分な手間が必要であった。
そこで、本発明は、切り粉や切削油の飛散を防止する天井カバーであって、ワークを出し入れする際に作業者を煩わせることのない工作機械の天井カバーを提供することを目的とする。
【課題を解決するための手段】
【０００５】
上記課題を解決するため、請求項１記載の発明は、上下及び前後方向に移動可能な移動体を備えた工作機械に設けられ、前記移動体の下部に形成される加工エリアの上部空間を覆う天井カバーであって、加工エリア上部の左右に、前後方向へ平行に固定配置された一対の直線ガイドと、該一対の直線ガイド間に配置され、直線ガイドにガイドされて前後方向に伸縮動して加工エリア上部を閉塞可能なカバー体と、該カバー体の先端に接続してカバー体を伸縮移動させる伸縮駆動手段とを有し、前記カバー体の後端は、前記移動体に上下方向へ移動可能に取り付けられて成ることを特徴とする。
この構成により、ワークを出し入れするときは、伸縮駆動手段によりカバー体が後方に移動するので、ワークを出し入れする空間を天井カバーを作業者の手作業で移動したり外したりすることなく容易に作成できる。また、カバー体は移動体の前後動に追従して伸縮動するので、カバー体と移動体の間に隙間が発生するようなことがない。
【０００６】
請求項２の発明は、請求項１の発明において、カバー体は、一対の直線ガイド間に渡された複数のガイド棒と、ヒンジ部を有して隣接するガイド棒同士を連結する折り曲げ可能なヒンジ枠と、該ヒンジ枠に取り付けて前記直線ガイド間を閉塞する閉塞手段とを備え、蛇腹状に収縮動作することを特徴とする。
この構成により、カバー体の上面と下面が接触することがないので、下面に付着した切削油等が上面に移ることがない。また、ガイド棒とヒンジ枠により堅牢な構造にできる。
【発明の効果】
【０００７】
このように、本発明によれば、天井カバーは伸縮駆動手段により収縮して天井が開口されるので、ワークを出し入れする際に、作業者を煩わせるようなことがない。
また、天井カバーは収縮した際に裏面と表面が接触するようなことが無いので、上面に切削油等が付着することがなく、汚れにくい。
【発明を実施するための最良の形態】
【０００８】
以下、本発明を具体化した実施の形態を、図面に基づいて詳細に説明する。図１〜図３は本発明に係る工作機械の天井カバーの一例を示し、図１は平面図、図２は正面図、図３は右側面図である。また、図４、図５は上記天井カバーを備えた工作機械の正面図及び右側面図を示している。図において、１は天井カバーの要部を成すカバー体、２はカバー体１の前後移動を案内する直線ガイド、３は天井を開口させるためにカバー体１を伸縮動させる伸縮駆動手段としてのシリンダー、４は移動体としての主軸頭５に組み付けられた主軸頭カバーである。尚、主軸頭５は上下及び前後に移動可能に構成され、ワークを加工する加工エリアは主軸頭５の下方に位置し、工作機械の右カバー９ａと左カバー９ｂの間の空間である。
【０００９】
直線ガイド２は、ガイド支え８等を介して右カバー９ａ及び左カバー９ｂに取り付けられ、前後方向に平行に一対配置されている。そして、カバー体１は、この一対の直線ガイド２間に配置され、図４、図５に示すように、主軸頭５の前方に配置されている。
【００１０】
このカバー体１は、左右の直線ガイド２間に渡された複数のガイド棒１３と、ヒンジ部１２ａを中央に有し、下方に折り曲げられて隣接するガイド棒１３同士を連結している複数のヒンジ枠１２と、ヒンジ枠１２に取り付けられた閉塞手段としての複数の長方形状の板体７とで構成されている。ガイド棒１３は、左右両端にカムフォロア１１を備え、このカムフォロア１１が直線ガイド２内に配置されている。また、ヒンジ枠１２は、ヒンジ部１２ａに設けられた軸棒１４と、先端がガイド棒１３に連結される腕片１２ｂから成り、下方に折り曲げた形で腕片１２ｂがガイド棒１３に回動可能に連結されている。
そして、軸棒１４に隣接する前後の板体７，７間には、軸棒１４の下方を覆うように跨いでゴム板１５が取り付けられ、軸棒１４の下方を塞ぎ、ヒンジ部１２ａの隙間は完全に閉塞されている。
こうして、板体７及びゴム板１５により左右の直線ガイド２間は閉塞され、ガイド棒１３とヒンジ枠１２によりカバー体全体が蛇腹状に伸縮動する。また、直線ガイド２内に配置されたカムフォロア１１により各ガイド棒１３はスムーズに移動し、カバー体１は無理なく伸縮移動できる。
【００１１】
また、カバー体１の先端に配置されたガイド棒１３には、連結部材１７を介してシリンダー３が連結されている。このシリンダー３は、右側の直線ガイド２に隣接して平行に右カバー９ａ上に配置され、シリンダー３の伸縮動作によりカバー体１先端部は前後動する。このシリンダー３により、ワークを出し入れする際は、主軸頭５を最後部まで移動した後、シリンダ３を縮動させれば、カバー体１が後方へ移動して折り畳まれるので、加工エリア上部には大きな開口部が形成され、ワークの出し入れに必要な空間を容易に確保できる。また、加工時はシリンダー３を伸張させておくことで、カバー体１が伸張されて加工エリアの上部を閉塞し、切削油等の飛散を防止する天井カバー本来の作用を奏する。
【００１２】
一方、カバー体１の後端は、主軸頭５に上下移動可能に連結されている。詳しくは、主軸頭５の前面に設けられた主軸頭カバー４に、上下移動用の縦ガイド１９が板状のガイド支え２０を介して左右一対取り付けられると共に、カバー体１の後端に配置されたガイド棒１３には、縦ガイド１９内に摺動可能に配置される一対のカムフォロア２１が設けられ、このカムフォロア２１が縦ガイド１９内を移動することで、カバー体１の後端は上下移動可能に主軸頭５に連結されている。
【００１３】
この構成により、主軸頭５はカバー体１を連結した状態で、カバー体１の状態に関わりなく上下動できるし、主軸頭５にカバー体１を連結することで、主軸頭５が前後動する場合は、カバー体１は主軸頭５の移動に追従して伸縮し、主軸頭５とカバー体１の間に隙間が発生するようなことがない。
尚、図３において、実線は、主軸頭５が最後部位置にあって、加工エリア上方がカバー体１により閉塞された（カバー体１が伸張した）状態、２点鎖線で示すＡの状態は、主軸頭５が最前部位置に移動してカバー体１が前方へ折り畳まれた（収縮した）状態、更に２点鎖線で示すＢの状態は、主軸頭５が最後部位置に移動してシリンダー３を収縮させてカバー体を後方に折り畳んだ（収縮した）状態を示している。
【００１４】
このように、シリンダー３により、カバー体１が後方に移動して、ワークを出し入れする空間が容易に形成されるので、天井カバーを移動したり外したりする余分な作業が必要なくなる。また、カバー体１は主軸頭５の前後動に追従して伸縮動するので、カバー体１と主軸頭５の間に隙間が発生するようなことがなく、切削油等が飛散することがない。
また、カバー体１は蛇腹状に折り畳まれるので、上面と下面が接触することがなく、下面に付着した切削油等が上面に移ることがない。
【００１５】
尚、上記実施形態は、カバー体１をガイド棒とヒンジ枠と板体とで形成して、堅牢な構造としているが、ヒンジ枠１２と板体７とを一体の板材から形成した簡素なものとしたり、単にガイド棒１３とガイド棒１３に連結して直線ガイド２，２間を覆う大きさの布状シートとで形成することもできる。また、上記実施形態では、機械全体を覆うカバーにより移動体の移動範囲全てを覆うものとしているが、加工による切り粉や切削液が機外に飛散しなければ、全体カバー以外にも、或いは移動体の移動範囲全体に及ばない範囲に限定して使用することも可能である。更には、移動体を主軸頭としたが、加工エリアから突出する部位を有して移動する移動体に対して上記天井カバーは適用できる。
【図面の簡単な説明】
【００１６】
【図１】本発明に係る工作機械の天井カバーの一例を示す平面図である。
【図２】図１の正面図である。
【図３】図１の右側面説明図である。
【図４】図１の天井カバーを設けた工作機械の正面図である。
【図５】図４の右側面図である。
【符号の説明】
【００１７】
１・・カバー体、２・・直線ガイド、３・・伸縮駆動手段としてのシリンダー、５・・移動体としての主軸頭、７・・閉塞手段としての板体、１１・・カムフォロア、１２・・ヒンジ枠、１２ａ・・ヒンジ部、１３・・ガイド棒、１４・・軸棒、１９・・縦ガイド、２１・・カムフォロア。
【図１】
2005103686.tif 000003
【図２】
2005103686.tif 000004
【図３】
2005103686.tif 000005
【図４】
2005103686.tif 000006
【図５】
2005103686.tif 000007